(57)【要約】【課題】中空部を有する建物周壁部構造として、湿気による悪影響を排除し、木材害虫に蝕まれたり菌類によって腐るの防止し、耐久性を飛躍的に高める手段を提供する。【解決手段】建物周壁６が、木製土台２の屋外面側に下端部内面側を接する外装壁材６ａと、木製土台２の屋内面側に下端部内面側を接する内装壁材６ｂとの間に中空部７を備え、中空部７内の空気を外部へ強制排気する機械的排気手段８が設けられてなる。【選択図】図１
2010084351.tif 000002
【特許請求の範囲】
【請求項１】
基礎コンクリート上に基礎パッキンを介して木製土台が配置し、
建物周壁が、前記木製土台の屋外面側に下端部内面側を接する外装壁材と、該木製土台の屋内面側に下端部内面側を接する内装壁材との間に中空部を備え、
前記中空部内の空気を外部へ強制排気する機械的排気手段が設けられてなることを特徴とする建物周壁部構造。
【請求項２】
前記木製土台の全長にわたり、当該木製土台の屋外面と前記基礎コンクリートの屋外面との間を覆う非通気性シートが貼着されてなる請求項１に記載の建物周壁部構造。
【請求項３】
前記非通気性シートが、シート基材の片面に防虫剤成分を含む粘着層を有してなる請求項２に記載の建物周壁部構造。
【請求項４】
前記基礎コンクリートが床下空間を形成しない平地式基礎である請求項１〜３のいずれか１項に記載の建物周壁部構造。
【発明の詳細な説明】
【技術分野】
【０００１】
この発明は、木造建物の周壁部構造、特に床下空間を設けない平地式基礎を採用する場合に好適な建物周壁部構造に関する。
【背景技術】
【０００２】
木造住宅の周壁部構造として、断熱保温性を高めるために、基礎コンクリート上に設けた木製土台の屋外面側に下端部内面側を接する外装壁材と、該木製土台の屋内面側に下端部内面側を接する内装壁材との間に中空部を設けた構造が多用されている。しかるに、このような中空部に湿気が籠もる場合、白蟻を始めとする木材害虫や菌類が入り込んで繁殖し易く、早期に構造用木材が蝕まれたり腐ったりする要因になる。
【０００３】
一方、木造住宅の基礎構造として、断面逆Ｔ字形のコンクリートからなる布基礎や、建物敷地全体にコンクリートを打設して周辺部等の土台受け部分を布基礎状に立ち上げたべた基礎、更に布基礎とその内側のべた基礎との組み合わせ等が汎用されているが、近年において床下空間を形成しない平地式基礎が登場している。
【０００４】
この平地式基礎は、べた基礎における前記の布基礎状に立ち上がる土台受け部分を設けず、該べた基礎の平面部を床レベル近くに設定し、この平面部上に載置した木製土台をアンカーボルトを介して固定するようにした構造であり、構築に際して型枠配置用の溝堀りが基礎の外周部のみで済むと共に、その内側には割栗石を敷設するだけでよいから、基礎工事が極めて簡略化すると共に、べた基礎同様に全体が一体化して、且つ換気孔周辺に応力集中を生じ易い布基礎状部分がないため、耐震性に優れるという利点がある（特許文献１）。
【０００５】
ところが、平地式基礎における基礎上面は、コンクリート消費量が膨大になるために高位に設定できず、布基礎やべた基礎の土台受け部分に比較して地面に近い位置になることから、土台及び周壁下部が地面近くの重い湿気の影響を受け易いという難点がある。
【特許文献１】特開平１１−３５０５００号公報
【発明の開示】
【発明が解決しようとする課題】
【０００６】
この発明は、上述の事情に鑑みて、中空部を有する建物周壁部構造として、湿気による悪影響を排除し、木材害虫に蝕まれたり菌類によって腐るの防止し、もって耐久性を飛躍的に高める手段を提供することを目的としている。
【課題を解決するための手段】
【０００７】
上記目的を達成するために、この発明は以下の手段を提供する。
【０００８】
〔１〕基礎コンクリート上に基礎パッキンを介して木製土台が配置し、
建物周壁が、前記木製土台の屋外面側に下端部内面側を接する外装壁材と、該木製土台の屋内面側に下端部内面側を接する内装壁材との間に中空部を備え、前記中空部内の空気を外部へ強制排気する機械的排気手段が設けられてなることを特徴とする建物周壁部構造。
【０００９】
〔２〕前記木製土台の全長にわたり、当該木製土台の屋外面と前記基礎コンクリートの屋外面との間を覆う非通気性シートが貼着されてなる前項１に記載の建物周壁部構造。
【００１０】
〔３〕前記非通気性シートが、シート基材の片面に防虫剤成分を含む粘着層を有してなる前項２に記載の建物周壁部構造。
【００１１】
〔４〕前記基礎コンクリートが床下空間を形成しない平地式基礎である前項１〜３のいずれか１項に記載の建物周壁部構造。
【発明の効果】
【００１２】
〔１〕の発明に係る建物周壁部構造では、機械的排気手段によって建物周壁の中空部内の空気を外部へ強制排気することにより、該中空部内の湿気も同時に排除できるから、該中空部に臨む構造用木材の含水率を低い範囲に制御でき、もって木材害虫や菌類が入り込んで繁殖するのを防止し、耐久性を飛躍的に高めることができる。
【００１３】
〔２〕の発明によれば、木製土台の屋外面と基礎コンクリートの屋外面との間が非通気性シートで覆われて気密封止されるため、外部の湿気が木製土台と基礎コンクリートとの間から屋内へ侵入するのを確実に阻止できる。
【００１４】
〔３〕の発明によれば、非通気性シートの粘着層に防虫剤を含むことから、木材害虫の木製土台や屋内への侵入を確実に防止できる。
【００１５】
〔４〕の発明によれば、基礎コンクリートが床下空間を形成しない平地式基礎であるため、土台及び周壁下部が地面近くの重い湿気の影響を受け易いが、木製土台の屋外面と基礎コンクリートの屋外面との間が非通気性シートで覆われて気密封止されることと、周壁の中空部の強制排気によって湿気を排除できることから、木材害虫や菌類が入り込んで繁殖するのを防止して優れた耐久性を確保できる。
【発明を実施するための最良の形態】
【００１６】
以下、この発明に係る建物周壁部構造の実施形態について、図面を参照して具体的に説明する。
【００１７】
この建物周壁部構造では、図１の縦断側面図で示すように、床下空間を形成しない平地式基礎の基礎コンクリート１の周辺部上に、角材からなる木製土台２が半硬質ゴム等の弾性材料からなる帯板状の基礎パッキン３を介して水平に載置されており、基礎コンクリート１に垂直に植設されたアンカーボルト４が基礎パッキン３及び木製土台２を貫通し、その木製土台２より上方突出した頂部４ａに螺合するナット５の締め付けにより、該木製土台２を基礎コンクリート１に固定している。
【００１８】
そして、周壁６は、木製土台２の屋外面側に下端部内面側を接する外装壁材６ａと、該木製土台２の屋内面側に下端部内面側を接する内装壁材６ｂとの間に中空部７を備えると共に、中間高さの位置に機械的排気手段としての電動式の排気ファン８が組み付けられ、矢印で示すように該排気ファン８によって中空部７内の空気を外部へ強制排気できるようになっている。
【００１９】
なお、周壁６の外装壁材６ａは、内側より構造用合板６１、断熱材層６２、胴縁６３、サイディング６４よりなる積層構造をなし、その下縁部に断面Ｚ状に曲折した水切り鋼板９が取り付けられている。
【００２０】
また、木製土台３と基礎コンクリート１との間は、基礎パッキン４によって土台全長にわたって閉鎖されているが、その屋外面側に更に、木製土台３の下部から基礎コンクリート１の上部を覆う幅の非通気性シート１０を貼着することにより、土台全長にわって気密封止されている。
【００２１】
一方、基礎コンクリート１の屋内側上面には床面を構成するフローリング１１が設けられ、また屋外側面には断熱ボード１２が接合されると共に、該断熱ボード１２の前面にはモルタル１３が刷毛塗りされている。
【００２２】
このような建物周壁部構造では、排気ファン８を稼働した際、周壁６の中空部７内の空気と共に湿気も外部へ排出でき、これに伴う減圧によって該中空部７に臨む木製土台２、構造用合板６１、内装壁材６ｂ等の構造用木材に含まれる湿気が吸引されて中空部７に放出される。従って、該排気ファン８を定期的に、あるいは湿度センサー（図示省略）等による湿度の測定値が設定値を越えた際に、自動操作もしくは手動操作で稼働させることにより、これら構造用木材の含水率を例えば１０〜２０％といった低い範囲に制御することが可能であり、もって白蟻を始めとする種々の木材害虫や菌類が入り込んで繁殖するのを防止し、周壁６の耐久性を飛躍的に高めることができる。
【００２３】
また、上記実施形態では基礎コンクリート１が床下空間を形成しない平地式基礎であるため、木製土台２及び周壁６下部が地面近くの重い湿気の影響を受け易いが、木製土台３と基礎コンクリート１との間が基礎パッキン３によって全長にわたって閉塞されていることに加えて、木製土台３から基礎コンクリート１にわたる屋外側面に貼着された非通気性シート１０により、土台全長にわたって気密封止されているから、外部の湿気が木製土台２と基礎コンクリート１との間から屋内へ侵入する懸念がないと共に、該湿気が木製土台２に滲み込むのも抑えられる。
【００２４】
このような非通気性シート１０としては、不織布や織布又はビニルフィルム、塩化ビニール、ポリエチレンフィルム等の合成樹脂フィルム等よりなるシート基材の片面に、ゴムやアスファルト等よりなる非通気性の粘着層を設けたものが好適に使用できるが、特に粘着層に防蟻剤等の防虫剤成分を含有させたものが推奨される。すなわち、粘着層に防虫剤成分を含むことにより、白蟻等の木材害虫の木製土台２や屋内への侵入を確実に防止できる。
【００２５】
なお、この発明においては、周壁６の中空部７内の空気を外部へ強制排気する機械的排気手段として、排気ファン８以外の種々の機械装置を使用できる。また、周壁６の外装壁材６ａ及び内装壁材６ｂの細部構造等、細部構成については実施形態以外に種々設計変更可能である。
【図面の簡単な説明】
【００２６】
【図１】この発明に係る建物周壁部構造の一実施形態を示す縦断側面図である。
【符号の説明】
【００２７】
１      基礎コンクリート
２      木製土台
３      基礎パッキン
４      アンカーボルト
５      ナット
６      周壁
６ａ    外装壁材
６ｂ    内装壁材
７      中空部
８      排気ファン（機械的排気手段）
１０    非通気性シート
【図１】
2010084351.tif 000003